【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
レーザ光を出射する光源と、前記光源から出射されるレーザ光を略平行光化するコリメータレンズと、前記コリメータレンズで略平行光化されたレーザ光を主走査方向に偏向走査する偏向走査装置と、前記光源、前記コリメータレンズ、及び、前記偏向走査装置を収納する光学箱と、を有する走査光学装置において、
前記コリメータレンズは、前記偏向走査装置によって偏向走査される前のレーザ光の主走査方向において前記コリメータレンズの外周面の両端を前記光学箱に接着保持されており、
前記光学箱の前記コリメータレンズの外周面を接着保持する接着部は、前記コリメータレンズの外周面側に突出した凸形状の先端に前記コリメータレンズの光軸方向において前記コリメータレンズの外周面の厚みよりも狭い範囲で形成されており、
該光軸方向において前記凸形状の先端の陵部は、前記先端から広がる方向に傾斜したテーパ形状である、ことを特徴とする走査光学装置。
【請求項２】
前記凸形状の先端に、接着剤が充填される凹形状の接着溜りを設けたことを特徴とする請求項１に記載の走査光学装置。
【請求項３】
前記コリメータレンズの光軸方向と垂直な断面において前記凹形状の接着溜りの底面は傾斜していることを特徴とする請求項２に記載の走査光学装置。
【請求項４】
請求項１乃至３のいずれか１項に記載の走査光学装置から複数のレーザ光が出射され、前記走査光学装置から出射した複数のレーザ光が各々対応する複数の像担持体面上に照射して潜像を形成し、前記複数の像担持体面上にそれぞれ形成された潜像は各々対応する複数の現像装置によって可視像化され、前記複数の現像装置によってそれぞれ可視像化されたトナー像は、転写手段によって重ね合わされてカラー画像が形成されることを特徴とするカラー画像形成装置。
【請求項５】
レーザ光を出射する光源と、前記光源から出射されるレーザ光を略平行光化するコリメータレンズと、前記光源と前記コリメータレンズを固定するホルダ部材と、を有する光源装置において、
前記コリメータレンズは、前記コリメータレンズの光軸と垂直な方向において前記コリメータレンズの外周面の両端を前記ホルダ部材に接着保持されており、
前記ホルダ部材の前記コリメータレンズの外周面を接着保持する接着部は、前記コリメータレンズの外周面側に突出した凸形状の先端に前記コリメータレンズの光軸方向において前記コリメータレンズの外周面の厚みよりも狭い範囲で形成されており、
該光軸方向において前記凸形状の先端の陵部は、前記先端から広がる方向に傾斜したテーパ形状であることを特徴とする光源装置。
【請求項６】
前記凸形状の先端に、接着剤が充填される凹形状の接着溜りを設けたことを特徴とする請求項５に記載の光源装置。
【請求項７】
前記コリメータレンズの光軸方向と垂直な断面において前記凹形状の接着溜りの底面は傾斜していることを特徴とする請求項６に記載の光源装置。
【請求項８】
請求項５乃至７のいずれか1項に記載の光源装置と、前記コリメータレンズで略平行光化されたレーザ光を偏向走査する偏向走査装置と、前記光源装置が組み付けられ、前記偏向走査装置を収納する光学箱と、を有することを特徴とする走査光学装置。
【請求項９】
請求項８に記載の走査光学装置から複数のレーザ光が出射され、前記走査光学装置から出射した複数のレーザ光が各々対応する複数の像担持体面上に照射して潜像を形成し、前記複数の像担持体面上にそれぞれ形成された潜像は各々対応する複数の現像装置によって可視像化され、前記複数の現像装置によってそれぞれ可視像化されたトナー像は、転写手段によって重ね合わされてカラー画像が形成されることを特徴とするカラー画像形成装置。
【手続補正２】
【補正対象書類名】明細書
【補正対象項目名】発明の名称
【補正方法】変更
【補正の内容】
【発明の名称】光源装置、走査光学装置およびカラー画像形成装置
【手続補正３】
【補正対象書類名】明細書
【補正対象項目名】０００１
【補正方法】変更
【補正の内容】
【０００１】
本発明は、例えば、電子写真プロセスを有するカラーレーザビームプリンタやカラーデジタル複写機等のカラー画像形成装置及び該カラー画像形成装置に搭載される光源装置及び走査光学装置に関するものである。
【手続補正４】
【補正対象書類名】明細書
【補正対象項目名】００１０
【補正方法】変更
【補正の内容】
【００１０】
そこで本発明は、組立時及びその後の環境変動におけるコリメータレンズの位置変動を抑制し、光学性能を担保できる光源装置、走査光学装置およびカラー画像形成装置を提供することを目的とする。
【手続補正５】
【補正対象書類名】明細書
【補正対象項目名】００１１
【補正方法】変更
【補正の内容】
【００１１】
上記課題を解決するために本発明に係る走査光学装置の代表的な構成は、レーザ光を出射する光源と、前記光源から出射されるレーザ光を略平行光化するコリメータレンズと、前記コリメータレンズで略平行光化されたレーザ光を主走査方向に偏向走査する偏向走査装置と、前記光源、前記コリメータレンズ、及び、前記偏向走査装置を収納する光学箱と、を有する走査光学装置において、前記コリメータレンズは、前記偏向走査装置によって偏向走査される前のレーザ光の主走査方向において前記コリメータレンズの外周面の両端を前記光学箱に接着保持されており、前記光学箱の前記コリメータレンズの外周面を接着保持する接着部は、前記コリメータレンズの外周面側に突出した凸形状の先端に前記コリメータレンズの光軸方向において前記コリメータレンズの外周面の厚みよりも狭い範囲で形成されており、該光軸方向において前記凸形状の先端の陵部は、前記先端から広がる方向に傾斜したテーパ形状であることを特徴とする。
また、本発明に係る光源装置の代表的な構成は、レーザ光を出射する光源と、前記光源から出射されるレーザ光を略平行光化するコリメータレンズと、前記光源と前記コリメータレンズを固定するホルダ部材と、を有する光源装置において、前記コリメータレンズは、前記コリメータレンズの光軸と垂直な方向において前記コリメータレンズの外周面の両端を前記ホルダ部材に接着保持されており、前記ホルダ部材の前記コリメータレンズの外周面を接着保持する接着部は、前記コリメータレンズの外周面側に突出した凸形状の先端に前記コリメータレンズの光軸方向において前記コリメータレンズの外周面の厚みよりも狭い範囲で形成されており、該光軸方向において前記凸形状の先端の陵部は、前記先端から広がる方向に傾斜したテーパ形状であることを特徴とする。
【手続補正６】
【補正対象書類名】明細書
【補正対象項目名】００１３
【補正方法】変更
【補正の内容】
【００１３】
［第一実施形態］
本発明に係る光源装置、走査光学装置およびカラー画像形成装置の第一実施形態について、図を用いて説明する。図１は本実施形態にかかる走査光学装置におけるコリメータレンズ近傍の斜視図である。図２は走査光学装置の斜視図である。図３（ａ）はコリメータレンズの光軸に平行な接着部の断面図である。図３（ｂ）はコリメータレンズの光軸に垂直な平面における接着部の断面図である。図４はコリメータレンズの光軸に垂直な平面における接着部の断面図である。図５は紫外線照射の説明図である。
【手続補正７】
【補正対象書類名】明細書
【補正対象項目名】００３２
【補正方法】変更
【補正の内容】
【００３２】
接着部102は、副走査方向（矢印Ｙ方向）に開口している。開口部分は、コリメータレンズ２を保持するクランプ工具Ｊの可動領域となる。また、開口部分は、接着剤Ｓを硬化させる為の光照射スペースになる。